(57)【特許請求の範囲】
【請求項１】
来客を撮像するＴＶカメラを備えたドアホンと、ドアホンからの呼び出しに応じた来客報知や、ドアホンとの応対通話を行なうとともに、ドアホンから送られたＴＶカメラの映像信号により来客映像をモニタするモニタＴＶを備えたインターホンとから少なくとも構成される来客報知システムにおいて、インターホンに、ドアホンからの映像信号と音声信号と来客報知の呼び出し信号との少なくとも一種をＴＤＭＡ多重化又は分離化するＴＤＭＡ処理部と、ＴＤＭＡ処理部からの入力信号をＲＦ無線で送信可能に変調するか又はＲＦ無線で受信した変調信号を復調しＴＤＭＡ処理部へ出力するモデムと、モデムで変調された信号をアンテナを介して基地局へ無線送信するか又はアンテナを介して基地局から無線受信する信号をモデムへ出力するＲＦ部とを設けるとともに、インターホンとの間のＴＤＭＡ無線通信に対応する一乃至複数の無線携帯端末と、一乃至複数の無線携帯端末とインターホンとの間のＴＤＭＡ無線通信を中継転送する基地局とを有するデジタル無線通話システムを設け、来客報知のための信号やＴＶカメラの映像信号をインターホンから基地局を介して一乃至複数の無線携帯端末側に送るとともに、インターホンおよび基地局を介して、ドアホンと一乃至複数の無線携帯端末との応対通話や、一乃至複数の無線携帯端末を用いての来客映像のモニタを可能としたことを特徴とする来客報知システム。
【請求項２】
来客を撮像するＴＶカメラを備えたドアホンと、ドアホンからの呼び出しに応じた来客報知や、ドアホンとの応対通話を行なうとともに、ドアホンから送られたＴＶカメラの映像信号により来客映像をモニタするモニタＴＶを備えたインターホンとから少なくとも構成される来客報知システムにおいて、インターホンに、ドアホンからの映像信号と音声信号と来客報知の呼び出し信号との少なくとも一種を同期型のシリアルデジタル信号として交換する、ＴＤＭＡ無線中継基地局機能を担うメモリタイムスイッチと、メモリタイムスイッチで交換される映像信号と音声信号と来客報知の呼び出し信号との少なくとも一種をＴＤＭＡ多重化又は分離化するＴＤＭＡ処理部と、ＴＤＭＡ処理部からの入力信号をＲＦ無線で送信可能に変調するか又はＲＦ無線で受信した変調信号を復調しＴＤＭＡ処理部へ出力するモデムと、モデムで変調された信号をアンテナから無線送信するか又はアンテナで無線受信する信号をモデムへ出力するＲＦ部とを設けるとともに、インターホンとの間でＴＤＭＡ無線通信を行う一乃至複数の無線携帯端末を設け、来客報知のための信号やＴＶカメラの映像信号をインターホンから一乃至複数の無線携帯端末側に送るとともに、インターホンを介して、ドアホンと一乃至複数の無線携帯端末との応対通話や、一乃至複数の無線携帯端末を用いての来客映像のモニタを可能としたことを特徴とする来客報知システム。
【発明の詳細な説明】
【０００１】
【発明の属する技術分野】
本発明は、来客報知システムに関するものである。
【０００２】
【従来の技術】
従来の来客報知システムは、図１１（ａ）に示すように、門扉Ａや玄関Ｂ等に設置された来客を撮像するためのＴＶカメラを有するＴＶカメラ付ドアホン１と、屋内Ｃに設けたモニタＴＶ付インターホン２とを信号線３を介して接続した構成を基本的なシステム構成要素としており、ＴＶカメラ付ドアホン１の呼出釦が押されると、この押し操作により信号線３の呼び出し検出用の電圧の変化をモニタＴＶ付インターホン２側で検知することにより呼び出しがあることを判別し、ＴＶカメラ付ドアホン１へ給電を行い、ＴＶカメラでとらえた来客の映像信号をモニタＴＶ付インターホン２側へ伝送させてモニタＴＶにより来客の映像をモニタするとともに、映像信号に重畳する形で音声信号を送受信してＴＶカメラ付ドアホン１とモニタＴＶ付インターホン２との間で応対通話を行なえるようになっている。
【０００３】
一方、ＰＨＳのようなデジタル無線通信システムは、図１１（ｂ）に示すように、電話モジュラ４等を通じて電気通信設備と接続された基地局５と、携帯端末６とで構成されており、来客報知システムとは全く別のシステムとして存在していた。
【０００４】
つまり前者のシステムは所謂住宅設備（壁面取付けが基本）であり、後者は移動（携帯端末）及び据え置き（基地局）の機器であるため設置思想が異なっていた。
【０００５】
【発明が解決しようとする課題】
そのため従来では、来客報知システムの機能をデジタル無線通信システム側で連動させるものが無かった。
【０００６】
本発明は、上記の点に鑑みて為されたもので、その目的とするところは無線デジタル通信システムと連動する来客報知システムを提供するにある。
【０００７】
【課題を解決するための手段】
上記目的を達成するために請求項１の発明では、来客を撮像するＴＶカメラを備えたドアホンと、ドアホンからの呼び出しに応じた来客報知や、ドアホンとの応対通話を行なうとともに、ドアホンから送られたＴＶカメラの映像信号により来客映像をモニタするモニタＴＶを備えたインターホンとから少なくとも構成される来客報知システムにおいて、インターホンに、ドアホンからの映像信号と音声信号と来客報知の呼び出し信号との少なくとも一種をＴＤＭＡ多重化又は分離化するＴＤＭＡ処理部と、ＴＤＭＡ処理部からの入力信号をＲＦ無線で送信可能に変調するか又はＲＦ無線で受信した変調信号を復調しＴＤＭＡ処理部へ出力するモデムと、モデムで変調された信号をアンテナを介して基地局へ無線送信するか又はアンテナを介して基地局から無線受信する信号をモデムへ出力するＲＦ部とを設けるとともに、インターホンとの間のＴＤＭＡ無線通信に対応する一乃至複数の無線携帯端末と、一乃至複数の無線携帯端末とインターホンとの間のＴＤＭＡ無線通信を中継転送する基地局とを有するデジタル無線通話システムを設け、来客報知のための信号やＴＶカメラの映像信号をインターホンから基地局を介して一乃至複数の無線携帯端末側に送るとともに、インターホンおよび基地局を介して、ドアホンと一乃至複数の無線携帯端末との応対通話や、一乃至複数の無線携帯端末を用いての来客映像のモニタを可能としたことを特徴とし、インターホンを介してドアホンと携帯端末との間で応対通話を行うことができる。
【０００８】
請求項２の発明では、来客を撮像するＴＶカメラを備えたドアホンと、ドアホンからの呼び出しに応じた来客報知や、ドアホンとの応対通話を行なうとともに、ドアホンから送られたＴＶカメラの映像信号により来客映像をモニタするモニタＴＶを備えたインターホンとから少なくとも構成される来客報知システムにおいて、インターホンに、ドアホンからの映像信号と音声信号と来客報知の呼び出し信号との少なくとも一種を同期型のシリアルデジタル信号として交換する、ＴＤＭＡ無線中継基地局機能を担うメモリタイムスイッチと、メモリタイムスイッチで交換される映像信号と音声信号と来客報知の呼び出し信号との少なくとも一種をＴＤＭＡ多重化又は分離化するＴＤＭＡ処理部と、ＴＤＭＡ処理部からの入力信号をＲＦ無線で送信可能に変調するか又はＲＦ無線で受信した変調信号を復調しＴＤＭＡ処理部へ出力するモデムと、モデムで変調された信号をアンテナから無線送信するか又はアンテナで無線受信する信号をモデムへ出力するＲＦ部とを設けるとともに、インターホンとの間でＴＤＭＡ無線通信を行う一乃至複数の無線携帯端末を設け、来客報知のための信号やＴＶカメラの映像信号をインターホンから一乃至複数の無線携帯端末側に送るとともに、インターホンを介して、ドアホンと一乃至複数の無線携帯端末との応対通話や、一乃至複数の無線携帯端末を用いての来客映像のモニタを可能としたことを特徴とし、ドアホンからの来客報知があると、基地局の機能を備えたインターホンが直接携帯端末を呼び出しているので、インターホンが基地局を経由して携帯端末を呼び出す場合に比べて、インターホンと基地局との間の処理を無くすことができる。
【０００９】
【発明の実施の形態】
以下、本発明を実施形態により説明する。
【００１０】
（実施形態１）
本実施形態の来客報知システムは、図１の概略構成図に示すように、来客を撮像するためのＴＶカメラ（図示せず）を備えたＴＶカメラ付ドアホン１と、ＴＶカメラ付ドアホン１からの呼び出しに応じた来客報知や、ＴＶカメラ付ドアホン１との応対通話を行なうとともに、ＴＶカメラ付ドアホン１から送られたＴＶカメラの映像信号により来客映像をモニタするモニタＴＶを備えたモニタＴＶ付インターホン２とが信号線３を介して接続された構成を基本的なシステム構成としており、モニタＴＶ付インターホン２にはＰＨＳのようなデジタル無線通信システムの携帯端末としての機能を設けてある。
【００１１】
デジタル無線通信システムは、電話モジュラ４等を通じて電気通信設備と接続された基地局５と、通常の携帯端末６…と、ＰＣカード型の携帯端末６’とで構成され、ＰＣカード型の携帯端末６’はパーソナルコンピュータ（以下ＰＣと略す）７に装着され、ＰＣ７との間でデータの授受を行なうようになっている。
【００１２】
図２はモニタＴＶ付インターホン２の回路構成を示しており、複数のＴＶカメラ付ドアホン１が夫々信号線３を介して接続されており、接続されたＴＶカメラ付ドアホン１の呼出釦（図示せず）の押し操作を信号線３の電圧低下等により検出してＣＰＵ８に伝える着信検出回路９と、ＴＶカメラ付ドアホン１との間で応対通話を行うための通話回路とＴＶカメラの映像信号により来客映像を表示するモニタＴＶとを少なくとも備えたインターホン部１０と、インターホン部１０及び後述の音声／映像分離回路１１に接続すべきＴＶカメラ付ドアホン１をＣＰＵ８の指示により選択する選択回路１２と、ＣＰＵ８の指示により選択されたＴＶカメラ付ドアホン１への給電を行う給電回路１３と、信号線３上に重畳される音声信号と映像信号とを分離（本実施形態では音声をＦＭ変調し、映像信号をベースバンドとしているので、フィルタにより両者を分離）し、夫々デジタル化して後述のＴＤＭＡ処理部１４に出力するとともに、ＴＤＭＡ処理部１４から入力された音声信号をアナログ信号に変換して信号線３に出力する上記音声／映像分離回路１１と、音声／映像分離回路１１によって分離され、デジタル化された音声信号及び映像信号をＴＤＭＡ方式により多重化するＴＤＭＡ処理部１４と、ＴＤＭＡ処理部１４から入力された信号を変調して後述のＲＦ部１６に出力するとともに、ＲＦ部１６から入力された信号を復調してＴＤＭＡ処理部１４に出力するモデム１５と、基地局５との間でアンテナ１７を介して無線により電波信号を授受するＲＦ部１６と、インターホンから携帯端末６，６’の呼び出し操作を行うための例えばテンキーよりなる操作部１８とから構成される。
【００１３】
ここで、音声／映像分離回路１１は、選択回路１２を介して入力されたＴＶカメラ付ドアホン１の信号より映像信号を分離抽出するフィルタ１９ａと、分離抽出された映像信号をデジタル化するデジタル化回路２０と、デジタル化された映像信号を圧縮してＴＤＭＡ処理部１４に出力する圧縮回路２１と、選択回路１２を介して入力されたＴＶカメラ付ドアホン１の信号より音声信号を分離抽出するフィルタ１９ｂと、分離抽出された音声信号を復調して後述の音声コーデック部２３に出力するＦＭ復調部２２と、音声コーデック部２３から入力された信号を周波数変調してＴＶカメラ付ドアホン１側に出力するＦＭ変調部２４と、ＦＭ復調部２２から入力されたアナログ信号をデジタル信号に変換してＴＤＭＡ処理部１４に出力するとともに、ＴＤＭＡ処理部１４から入力されたデジタル信号をアナログ信号に変換してＦＭ変調部２４に出力する音声コーデック部２３とから構成されており、ＴＶカメラ付ドアホン１から送られた音声信号及び映像信号をデジタル無線通信システム側に送出するとともに、デジタル無線通信システム側から送られた音声信号をＴＶカメラ付ドアホン１に送出しており、ＴＶカメラ付ドアホン１とデジタル無線通信システム側との応対通話を可能にするとともに、ＴＶカメラの映像信号をデジタル無線通信システム側でモニタ可能にしている。
【００１４】
また、図３は基地局５の回路構成を示しており、基地局５は、ＣＰＵ３０と、１６Ｈｚ（着信）検出回路、直流ループ閉結回路、２線４線交換回路、選択信号送出回路及びＡＤＰＣＭコーデック部からなる電話回線インターフェース（以下、電話回線Ｉ／Ｆと略す）３１と、ＣＰＵ３０の指示により、同期型のシリアルデジタル信号を交換する交換機能を備えたメモリタイムＳＷ（以下、ＭＴＳＷと略す）３２と、電話回線Ｉ／Ｆ３１及びＭＴＳＷ３２を介して入力されたシリアルデジタル信号をＴＤＭＡ方式により多重化するＴＤＭＡ処理部３３と、ＴＤＭＡ処理部３３から入力された信号を変調して後述のＲＦ部３５に出力するとともに、ＲＦ部３５から入力された信号を復調してＴＤＭＡ処理部３３に出力するモデム３４と、モニタＴＶ付インターホン２及び携帯端末６，６’との間でアンテナ３６を介して電波信号により信号を授受するＲＦ部３５とから構成される。
【００１５】
図４はＴＶカメラ付ドアホン１の回路構成を示しており、ＴＶカメラ付ドアホン１は、押し操作によって信号線３の電圧を変化させることにより、モニタＴＶ付インターホン２に来客報知のための信号を出力する呼出釦４０と、来客の映像を撮影するＴＶカメラ４１と、音声を集音するマイク（ＭＩＣ）４２と、マイク４２から入力された音声信号を周波数変調するＦＭ変調部４３と、映像信号をベースバンドとして周波数変調された音声信号を混合し、信号線３を介してモニタＴＶ付インターホン２に出力する音声／映像混合回路４４と、モニタＴＶ付インターホン２から送られた信号より音声信号を分離抽出するフィルタ４５と、分離抽出された音声信号を復調するＦＭ復調部４６と、復調された音声信号を再生するスピーカ４７とから構成される。
【００１６】
ここで、ＴＶカメラ付ドアホン１から携帯端末６’へ映像信号を送信する映像シーケンスを図５を参照して説明する。
【００１７】
まず、来客がＴＶカメラ付ドアホン１の呼出釦４０を押すと、呼出釦４０の押し操作によって信号線３の電圧が低下し、モニタＴＶ付インターホン２の着信検出回路９が信号線３の電圧低下を検出してＣＰＵ８に伝える（ステップ１０１）。ＣＰＵ８では、着信検出回路１１からの入力により、音声／映像分離回路１１に接続すべきＴＶカメラ付ドアホン１を選択し、選択したＴＶカメラ付ドアホン１に給電する（ステップ１０２）。ＴＶカメラ付ドアホン１では、モニタＴＶ付インターホン２からの給電により各部が動作を開始し、音声／映像混合回路４３が、ＴＶカメラ４１の映像信号をベースバンドとして、周波数変調されたマイク４２の音声信号をモニタＴＶ付インターホン２に出力する（ステップ１０３）。この時、ＴＶカメラ４１の撮影した来客映像が、モニタＴＶ付インターホン２のインターホン部１０に設けられたモニタＴＶに表示され、デジタル化回路２０がフィルタ１９ａにより分離抽出された映像信号をデジタル化し、圧縮回路２１がデジタル化された映像信号を圧縮してＴＤＭＡ処理部１４に出力する（ステップ１０４）。
【００１８】
次に、モニタＴＶ付インターホン２は、基地局５に対してリンクチャンネル確立要求（ＳＣＣＨ）を行い（ステップ１０５）、基地局５からリンクチャンネル割当を受け（ステップ１０６）、同期バーストを用いて周波数及び時間的な同期をとり（ステップ１０７，１０８）、さらにモニタＴＶ付インターホン２から基地局５へ非同期平衡モード設定（ＳＡＢＭ）コマンドを送信し（ステップ１０９）、基地局５からモニタ付インターホン２へＵＡレスポンスを送信することにより（ステップ１１０）、ＳＡＢＭコマンドの受入れを通知し、リンクチャンネルを確立する。
【００１９】
リンクチャンネル確立後、ＴＶモニタ付インターホン２が基地局５に対して呼設定メッセージを送出して呼設定を開始すると（ステップ１１１）、基地局５はＴＶモニタ付インターホン２へ呼設定受付メッセージを送出して発呼受付状態に移行する（ステップ１１２）。ここで、モニタＴＶ付インターホン２が携帯端末６を呼び出す場合とドアホン呼出とを区別するため、或いは、ドアホン呼出を報知したＴＶカメラ付ドアホン１の番号を示すために、呼設定メッセージのサブアドレスを用いている。呼設定メッセージの情報フィールドは、図６に示すように、プロトコル種別５１、呼番号５２、呼設定メッセージが設定されたメッセージ種別５３、サブアドレスが設定された情報要素識別子５４、サブアドレス内容長５５などからなり、サブアドレス情報５６としてドアホン番号に対応したデータが設定されている（例えば、ドアホンの番号が１であれば０１Ｈ、ドアホンの番号が２であれば０２Ｈのデータが設定される）。尚、モニタＴＶ付インターホン２から携帯端末６を呼び出す場合は、操作部１８の操作が起動条件となり後述する通話シーケンスが開始される。
【００２０】
携帯端末６’側がＴＶカメラの映像をモニタする機能を備えている場合、以下の処理によって、モニタＴＶ付インターホン２から携帯端末６’側へＴＶカメラの映像信号が送信される。基地局５はモニタＴＶ付インターホン２からの発呼を受け付けると、着呼メッセージをＰＣ７が装着された携帯端末６’へ送信して（ステップ１１３）、呼の着信を示す。携帯端末６’では、基地局５から着呼メッセージを受信すると、上述と同様にしてリンクチャンネルを確立した後（ステップ１１４〜１１９）、着呼応答メッセージを基地局５に送出する（ステップ１２０）。基地局５は着呼応答メッセージを受信すると、携帯端末６’へ呼設定メッセージを送信し（ステップ１２１）、呼設定メッセージを受信した携帯端末６’は基地局５へ呼設定受付メッセージを送信した後（ステップ１２２）、モニタＴＶ付インターホン２から携帯端末６’へＴＶカメラ４１の映像信号が送られ（ステップ１２３）、携帯端末６’が装着されたＰＣ７の画面上に、ＴＶカメラ４１の映像を映し出すことができる。
【００２１】
上述のようにして、モニタＴＶ付インターホン２から携帯端末６’へ映像信号を送信した後に、モニタＴＶ付インターホン２から携帯端末６’へ別のチャンネルで音声信号を送信し、モニタＴＶ付インターホン２と携帯端末６’との間で応対通話する通話シーケンスについて、図７を参照して説明する。
【００２２】
モニタＴＶ付インターホン２から携帯端末６’が装着されたＰＣ７に映像信号が送られた後（ステップ１２３）、モニタＴＶ付インターホン２は、上述と同様にしてリンクチャンネルを確立し（ステップ１２４〜１２９）、基地局５へ呼設定メッセージを送出して、呼設定を開始する（ステップ１３０）。モニタＴＶ付インターホン２から呼設定メッセージを受信した基地局５は、呼設定受付メッセージをモニタＴＶ付インターホン２に送出して、発呼受付状態に移行する（ステップ１３１）。
【００２３】
基地局５は、モニタＴＶ付インターホン２からの発呼を受け付けると、着呼メッセージをＰＣ７が装着された携帯端末６’へ送信して（ステップ１３２）、呼の着信を示す。携帯端末６’では、基地局５から着呼メッセージを受信すると、上述と同様にしてリンクチャンネルを確立した後（ステップ１３３〜１３８）、着呼応答メッセージを基地局５に送出する（ステップ１３９）。基地局５は着呼応答メッセージを受信すると、携帯端末６’へ呼設定メッセージを送信し（ステップ１４０）、呼設定メッセージを受信した携帯端末６’は基地局５へ呼設定受付メッセージを送信する（ステップ１４１）。その後、携帯端末６’が基地局５へ呼出メッセージを送信すると（ステップ１４２）、携帯端末６’から呼出メッセージを受信した基地局５がモニタＴＶ付インターホン２に対して呼出メッセージを送信する（ステップ１４３）。呼出メッセージ送出後に携帯端末６’がオフフックされた場合、携帯端末６’は基地局５に対して応答メッセージを送出することにより、着呼の受付を通知する（ステップ１４４）。応答メッセージを受信した基地局５は携帯端末６’に応答確認メッセージを送信するとともに（ステップ１４５）、モニタＴＶ付インターホン２に対して応答メッセージを送信する（ステップ１４６）。この後、モニタＴＶ付インターホン２及び携帯端末６’は通話状態に移行し（ステップ１４７）、モニタＴＶ付インターホン２及び携帯端末６’との間で応対通話を行うことができ、来客報知システムとデジタル無線通信システムとを連動させることができる。
【００２４】
尚、本実施形態では、モニタＴＶ付インターホン２から携帯端末６’へ映像信号の処理を行った後に音声信号の処理を行っているが、音声信号の処理を行った後に映像信号の処理を行うようにしても良く、また、映像信号と音声信号の処理を並行して行うようにしても良い。また、本実施形態では携帯端末６’及びＰＣ７を用いて、応対通話及び映像モニタを行う場合について説明したが、モニタ機能を備えていない携帯端末６を用いて、ＴＶカメラ付ドアホン１との間で応対通話のみを行うようにしても良い。
【００２５】
本実施形態では、モニタＴＶ付インターホン２側及び携帯端末６’側で夫々２チャンネル（音声信号用、映像信号用各１チャンネル）を使用しているが、例えば、図８に示すように情報チャンネルＩ（ＴＣＨ）の１６０ビットの内、４０ビットを音声用に、残りの１２０ビットを映像用に割り当てて、音声信号と映像信号とを同一チャンネルで送信するようにしても良い。この場合、音声信号の伝送レートが８ｋｂｐｓになるため、デジタル無線通信システムの標準（３２ｋｂｐｓ）に対応するためには、音声信号の圧縮・伸長等の処理が必要となる。
【００２６】
（実施形態２）
本実施形態では、実施形態１の来客報知システムにおいて、モニタＴＶ付インターホン２に基地局５の機能を持たせている。
【００２７】
本実施形態の来客報知システムの概略構成図を図９に、モニタＴＶ付インターホン２のブロック図を図１０に示す。尚、来客報知システムの基本的な構成は実施形態１と同様であるので、同一の構成要素には、同一の符号を付して、その説明を省略する。
【００２８】
本実施形態では、モニタＴＶ付インターホン２に、１６Ｈｚ（着信）検出回路、直流ループ閉結回路、２線４線交換回路、選択信号送出回路及びＡＤＰＣＭコーデック部から構成され、電話モジュラ４等を介して電話通信設備に接続される電話回線インターフェース（電話回線Ｉ／Ｆ）３１と、ＣＰＵ８の指示により、ＴＤＭＡ処理部１４と、圧縮回路２１及び音声コーデック部２３、又は、電話回線Ｉ／Ｆ３１との間で、同期型のシリアルデジタル信号を交換する交換機能を備えたＭＴＳＷ３２とを設けており、モニタＴＶ付インターホン２が基地局５の機能を備えている。
【００２９】
したがって、モニタＴＶ付インターホン２と携帯端末６’との間でデジタル無線通信を行う際に、上述した図５に示す映像シーケンス及び図７に示す通話シーケンスの内、基地局５とモニタ付インターホン２との間の処理が不要になるので、処理に要する時間を短縮することができる。
【００３０】
【発明の効果】
上述のように、請求項１の発明は、来客を撮像するＴＶカメラを備えたドアホンと、ドアホンからの呼び出しに応じた来客報知や、ドアホンとの応対通話を行なうとともに、ドアホンから送られたＴＶカメラの映像信号により来客映像をモニタするモニタＴＶを備えたインターホンとから少なくとも構成される来客報知システムにおいて、インターホンに、ドアホンからの映像信号と音声信号と来客報知の呼び出し信号との少なくとも一種をＴＤＭＡ多重化又は分離化するＴＤＭＡ処理部と、ＴＤＭＡ処理部からの入力信号をＲＦ無線で送信可能に変調するか又はＲＦ無線で受信した変調信号を復調しＴＤＭＡ処理部へ出力するモデムと、モデムで変調された信号をアンテナを介して基地局へ無線送信するか又はアンテナを介して基地局から無線受信する信号をモデムへ出力するＲＦ部とを設けるとともに、インターホンとの間のＴＤＭＡ無線通信に対応する一乃至複数の無線携帯端末と、一乃至複数の無線携帯端末とインターホンとの間のＴＤＭＡ無線通信を中継転送する基地局とを有するデジタル無線通話システムを設け、来客報知のための信号やＴＶカメラの映像信号をインターホンから基地局を介して一乃至複数の無線携帯端末側に送るとともに、インターホンおよび基地局を介して、ドアホンと一乃至複数の無線携帯端末との応対通話や、一乃至複数の無線携帯端末を用いての来客映像のモニタを可能としたことを特徴とし、インターホンを介してドアホンと携帯端末との間で応対通話を行うことができ、来客報知システムとデジタル無線通信システムとを連動させることができるという効果がある。
【００３１】
請求項２の発明は、来客を撮像するＴＶカメラを備えたドアホンと、ドアホンからの呼び出しに応じた来客報知や、ドアホンとの応対通話を行なうとともに、ドアホンから送られたＴＶカメラの映像信号により来客映像をモニタするモニタＴＶを備えたインターホンとから少なくとも構成される来客報知システムにおいて、インターホンに、ドアホンからの映像信号と音声信号と来客報知の呼び出し信号との少なくとも一種を同期型のシリアルデジタル信号として交換する、ＴＤＭＡ無線中継基地局機能を担うメモリタイムスイッチと、メモリタイムスイッチで交換される映像信号と音声信号と来客報知の呼び出し信号との少なくとも一種をＴＤＭＡ多重化又は分離化するＴＤＭＡ処理部と、ＴＤＭＡ処理部からの入力信号をＲＦ無線で送信可能に変調するか又はＲＦ無線で受信した変調信号を復調しＴＤＭＡ処理部へ出力するモデムと、モデムで変調された信号をアンテナから無線送信するか又はアンテナで無線受信する信号をモデムへ出力するＲＦ部とを設けるとともに、インターホンとの間でＴＤＭＡ無線通信を行う一乃至複数の無線携帯端末を設け、来客報知のための信号やＴＶカメラの映像信号をインターホンから一乃至複数の無線携帯端末側に送るとともに、インターホンを介して、ドアホンと一乃至複数の無線携帯端末との応対通話や、一乃至複数の無線携帯端末を用いての来客映像のモニタを可能としたことを特徴とし、ドアホンからの来客報知があると、基地局の機能を備えたインターホンが直接携帯端末を呼び出しており、インターホンが基地局を経由して携帯端末を呼び出す場合に比べて、インターホンと基地局との間の処理を無くすことができるので、処理に要する時間を短縮し、且つ、来客報知システムとデジタル無線通信システムとを連動させることができるという効果がある。
【図面の簡単な説明】
【図１】  実施形態１の来客報知システムを示す概略構成図である。
【図２】  同上のモニタＴＶ付インターホンのブロック図である。
【図３】  同上の基地局のブロック図である。
【図４】  同上のＴＶカメラ付ドアホンのブロック図である。
【図５】  同上の映像シーケンスを説明する図である。
【図６】  同上の情報フィールドを説明する図である。
【図７】  同上の通話シーケンスを説明する図である。
【図８】  同上の情報チャンネルのスロット構成を説明する図である。
【図９】  実施形態２の来客報知システムを示す概略構成図である。
【図１０】  同上のモニタＴＶ付インターホンのブロック図である。
【図１１】  （ａ）は従来の来客報知システムを示す概略構成図であり、（ｂ）はディジタル無線通話システムを示す概略構成図である。
【符号の説明】
１  ＴＶカメラ付ドアホン
２  モニタＴＶ付インターホン
３  信号線
５  基地局
６’携帯端末
７  ＰＣ
【図１】
0003845969.tif 000002
【図２】
0003845969.tif 000003
【図３】
0003845969.tif 000004
【図４】
0003845969.tif 000005
【図５】
0003845969.tif 000006
【図６】
0003845969.tif 000007
【図７】
0003845969.tif 000008
【図８】
0003845969.tif 000009
【図９】
0003845969.tif 000010
【図１０】
0003845969.tif 000011
【図１１】
0003845969.tif 000012